(57)【要約】【課題】  ＩＥＥＥ１３９４バス経由で入力したＤＶフォーマット準拠のデータからジッター成分を除去する映像信号復調装置および映像信号復調方法を提供する。【解決手段】  フレーム周波数情報および一定のフレーム信号に同期する圧縮映像信号の有効画素データの標準信号を生成する第１のメモリ１と、上記標準信号を伸張する伸張部２と、伸張部２で伸張されたデータを一定のフォーマットに従って並び換える第２のメモリ３と、第２のメモリ３で元のデータ列に並び換えたデータ列を映像信号に復調させるデコード部４と、第１のメモリを制御する制御部５とを備え、制御部５は、上記フレーム周波数情報を基準とする第１のメモリ１の書込み制御信号を生成し、デコード部４から出力されるフレーム信号を基準とする第１のメモリ１の読み出し制御信号を生成することで映像信号復調用のメモリ容量を減らす。【選択図】  図１（ａ）
2005311468.tif 000002
【特許請求の範囲】
【請求項１】
伝送されたフレーム周波数情報と圧縮映像信号の有効画素データから映像信号を復調する映像信号復調装置において、
フレーム周波数情報および一定のフレーム信号に同期する上記圧縮映像信号の有効画素データの標準信号を生成する第１のメモリと、
上記標準信号を伸張した伸張データを生成する伸張部と、
上記伸張データを一定のフォーマットに従って元のデータ列に並び換える第２のメモリと、
上記元のデータ列に並び換えられたデータ列を映像信号に復調させるデコード部と、
前記第１のメモリを制御する制御部とが備えられ、
前記制御部は、上記フレーム周波数情報を基準とする前記第１のメモリの書込み制御信号を生成し、前記デコード部から出力されるフレーム信号を基準とする前記第１のメモリの読み出し制御信号を生成する、
ことを特徴とする映像信号復調装置。
【請求項２】
請求項１に記載の映像信号復調装置において、
前記制御部を、前記デコード部から出力されるフレーム信号を外部で設定する外部フレーム信号とする外部フレーム信号制御部とし、
前記外部フレーム信号制御部は、上記フレーム周波数情報を基準とする前記第１のメモリの書込み制御信号を生成し、上記外部フレーム信号を基準とする前記第１のメモリの読出し制御信号である外部読み出し制御信号を生成する、
ことを特徴とする映像信号復調装置。
【請求項３】
請求項１または請求項２に記載の映像信号復調装置において、
前記制御部に、上記フレーム周波数情報を基準とする書込みアドレスを生成する書込みアドレス生成部と、
上記フレーム信号を基準とする読出しアドレスを生成する読出しアドレス生成部と、
上記書込みアドレスと上記読出しアドレスから両方のフレームの位相差情報を検出する位相差検出部と、
上記フレームの位相差情報と閾値とを比較する比較部と、
前記比較部による結果から前記第１のメモリの上記各制御信号を生成する制御信号生成部とを備えた、
ことを特徴とする映像信号復調装置。
【請求項４】
請求項３に記載の映像信号復調装置において、
前記比較部を、上記閾値を外部で設定する外部設定閾値とする外部設定閾値比較部とし、
前記外部設定閾値比較部は、上記フレームの位相差情報と外部設定閾値とを比較する、
ことを特徴とする映像信号復調装置。
【請求項５】
伝送されたフレーム周波数情報と圧縮映像信号の有効画素データから映像信号を復調する映像信号復調方法において、
伝送されたデータ列からフレーム周波数情報と圧縮映像信号の有効画素データを抜出すフレーム情報抜出しステップと、
上記フレーム周波数情報を基準とする書込みアドレスを生成する書込みアドレス生成ステップと、
前記フレーム情報抜出しステップ及び前記書込みアドレス生成ステップと並行して、基準となるフレーム信号を生成し、該フレーム信号を基準とする読出しアドレスを生成する読出しアドレス生成ステップと、
上記書込みアドレスと上記読出しアドレスから両方のフレームの位相差情報を検出し、上記位相差情報と閾値とを比較して、上記書込みアドレスに対して書込み制御信号を、上記読出しアドレスに対して読出し制御信号をそれぞれ生成する制御信号生成ステップと、
上記書込み制御信号および上記読出し制御信号に同期する上記圧縮映像信号の有効画素データの標準信号を生成する標準信号生成ステップと、
上記標準信号を伸張した伸張データを生成する伸張データ生成ステップと、
上記伸張されたデータを一定のフォーマットに従って元のデータ列に並び換えるデータ並び換えステップと、
上記並び換えられたデータ列を映像信号に復調する映像信号復調ステップとを備えた、
ことを特徴とする映像信号復調方法。
【請求項６】
請求項５に記載の映像信号復調方法において、
前記読出しアドレス生成ステップを、上記読出しアドレスを生成するフレーム信号を外部で設定した外部フレーム信号とする外部読出しアドレス生成ステップとした、
ことを特徴とする映像信号復調方法。
【請求項７】
請求項５に記載の映像信号復調方法において、
前記制御信号生成ステップには、上記位相差情報と閾値とを比較する閾値比較ステップが備えられ、
前記閾値比較ステップを、上記閾値を固定の閾値とした固定閾値比較ステップとした、
ことを特徴とする映像信号復調方法。
【請求項８】
請求項７に記載の映像信号復調方法において、
前記閾値比較ステップを、上記閾値を外部で設定した外部設定閾値とする外部設定閾値比較ステップとした、
ことを特徴とする映像信号復調方法。
【発明の詳細な説明】
【技術分野】
【０００１】
本発明はディジタル機器においてＩＥＥＥ１３９４バス経由でＤＶフォーマットのデータを入力して処理する映像信号復調装置と映像信号復調方法に関する。
【背景技術】
【０００２】
従来の映像信号復調装置について、図１１を参照しながら説明する。図１１は従来の映像信号復調装置のブロック図である。
先ず、従来の映像信号復調装置の構成について説明する。図１１に示すように、従来の映像信号復調装置は、伸張部１０２と、第２のメモリ１０３と、デコード部１０４と、第３のメモリ１０６と、制御部１０７とによって構成されている。
【０００３】
制御部１０７は、伝送されたフレーム周波数情報を基準とする第３のメモリ１０６の書込み制御信号を生成し、前記デコード部１０４から出力される一定周波数のフレーム信号を基準とする第３のメモリ１０６の読出し制御信号をそれぞれ生成し、第３のメモリ１０６を制御する。伸張部１０２は、ＩＥＥＥ１３９４バス経由で伝送された圧縮映像信号の有効画素データを伸張する。第２のメモリ１０３は、伸張したデータを並び換えるメモリである。デコード部１０４は、上記読出し制御信号の基準となる一定周波数のフレーム信号を生成し、第３のメモリ１０６から出力されたデータを復調させる。第３のメモリ１０６は、第２のメモリ１０３から出力されたデータを、伝送されたフレーム周波数情報およびデコード部１０４から出力される一定周波数のフレーム信号に同期させる。
【０００４】
上記のように構成された従来の映像信号復調装置の動作について説明する。ＩＥＥＥ１３９４バスから入力されたＤＶフォーマットのデータは並び換えられた後圧縮されているので、まず伸張部１０２で圧縮されたデータの伸張を行い、第２のメモリ１０３において伸張されたデータを元のデータ列に並び換えている。
【０００５】
伸張部１０２に伝送されるデータ列のフレーム周波数の変動が許容されているので、データ列から抜き出したフレーム周波数情報はジッターを含んでいる。従って、該標準信号とジッターを含んだ信号とで誤差が生じ、いずれ破綻する。これを解消するために、第３のメモリ１０６は、第２のメモリ１０３から読み出したデータ列を標準信号に戻す映像信号復調機能を備える。
【０００６】
制御部１０７は、ＩＥＥＥ１３９４バス経由で伝送されたフレーム周波数情報とデコード部１０４から出力されたフレーム信号との位相差の情報を検出して上記位相差の値によってそのまま処理したり、フレームデータの書込みを禁止したり、２回続けて同じフレームデータを読み出す制御信号を生成する。すなわち、上記フレーム周波数情報と上記位相差情報を基準とする第３のメモリ１０６の書込み制御信号を生成し、上記書込み制御信号に従って第３のメモリ１０６のデータの書込みを行い、デコード部１０４から出力される一定周波数のフレーム信号と上記位相差の情報を基準とする第３のメモリ１０６への読出し制御信号を生成し、上記読出し制御信号に従って第３のメモリ１０６のデータの読み出しを行なう。そして、第３のメモリ１０６から読み出されたデータはデコード部１０４で復調されて出力される。
【０００７】
この技術はすでに商品に搭載されており、周知の事実となっている。従来の文献としては引用すべきものは見当たらなかったが、ディジタルビデオカメラで１％のジッターを軽減する方法がある（例えば、特許文献１参照）。
【特許文献１】特開２０００−１０２０２９号公報（第１−６頁、第１図）
【発明の開示】
【発明が解決しようとする課題】
【０００８】
しかし、従来の技術ではＤＶフォーマットに準拠した圧縮したデータ列を伸張して並び換えたデータ列に戻した後に映像信号の復調を行なうために新たにフレームメモリが必要になった。
【０００９】
本発明は、以上のような問題を鑑みてなされたものであり、ＤＶフォーマットに準拠した圧縮したデータ列を容易に伸張して並び換えたデータ列に戻すことができ、その際に必要とするメモリ容量を小さくすることができ得る映像信号復調装置および映像信号復調方法を提供しようとするものである。
【課題を解決するための手段】
【００１０】
上記課題を解決するために、本発明の請求項１に記載の映像信号復調装置は、伝送されたフレーム周波数情報と圧縮映像信号の有効画素データから映像信号を復調する映像信号復調装置において、フレーム周波数情報および一定のフレーム信号に同期する上記圧縮映像信号の有効画素データの標準信号を生成する第１のメモリと、上記標準信号を伸張した伸張データを生成する伸張部と、上記伸張データを一定のフォーマットに従って元のデータ列に並び換える第２のメモリと、上記元のデータ列に並べ換えられたデータ列を映像信号に復調させるデコード部と、前記第１のメモリを制御する制御部とが備えられ、前記制御部は、上記フレーム周波数情報を基準とする前記第１のメモリの書込み制御信号を生成し、前記デコード部から出力されるフレーム信号を基準とする前記第１のメモリの読み出し制御信号を生成する、ことを特徴とするものである。
【００１１】
また、本発明の請求項２に記載の映像信号復調装置は、請求項１に記載の映像信号復調装置において、前記制御部を、前記デコード部から出力されるフレーム信号を外部で設定する外部フレーム信号とする外部フレーム信号制御部とし、前記外部フレーム信号制御部は、上記フレーム周波数情報を基準とする前記第１のメモリの書込み制御信号を生成し、上記外部フレーム信号を基準とする前記第１のメモリの読出し制御信号である外部読み出し制御信号を生成する、ことを特徴とするものである。
【００１２】
また、本発明の請求項３に記載の映像信号復調装置は、請求項１または請求項２に記載の映像信号復調装置において、前記制御部に、上記フレーム周波数情報を基準とする書込みアドレスを生成する書込みアドレス生成部と、上記フレーム信号を基準とする読出しアドレスを生成する読出しアドレス生成部と、上記書込みアドレスと上記読出しアドレスから両方のフレームの位相差情報を検出する位相差検出部と、上記フレームの位相差情報と閾値とを比較する比較部と、前記比較部による結果から前記第１のメモリの上記各制御信号を生成する制御信号生成部とを備えた、ことを特徴とするものである。
【００１３】
また、本発明の請求項４に記載の映像信号復調装置は、請求項３に記載の映像信号復調装置において、前記比較部が、上記閾値を外部で設定する外部設定閾値とする外部設定閾値比較部とされ、前記外部設定閾値比較部は、上記フレームの位相差情報と外部設定閾値とを比較する、ことを特徴とするものである。
【００１４】
また、本発明の請求項５に記載の映像信号復調方法は、伝送されたフレーム周波数情報と圧縮映像信号の有効画素データから映像信号を復調する映像信号復調方法において、伝送されたデータ列からフレーム周波数情報と圧縮映像信号の有効画素データを抜出すフレーム情報抜出しステップと、上記フレーム周波数情報を基準とする書込みアドレスを生成する書込みアドレス生成ステップと、前記フレーム情報抜出しステップ及び前記書込みアドレス生成ステップと並行して、基準となるフレーム信号を生成し、該フレーム信号を基準とする読出しアドレスを生成する読出しアドレス生成ステップと、上記書込みアドレスと上記読出しアドレスから両方のフレームの位相差情報を検出し、上記位相差情報と閾値とを比較して、上記書込みアドレスに対して書込み制御信号を、上記読出しアドレスに対して読出し制御信号をそれぞれ生成する制御信号生成ステップと、上記書込み制御信号および上記読出し制御信号に同期する上記圧縮映像信号の有効画素データの標準信号を生成する標準信号生成ステップと、上記標準信号を伸張した伸張データを生成する伸張データ生成ステップと、上記伸張されたデータを一定のフォーマットに従って元のデータ列に並び換えるデータ並び換えステップと、上記並び換えられたデータ列を映像信号に復調する映像信号復調ステップとを備えた、ことを特徴とするものである。
【００１５】
また、本発明の請求項６に記載の映像信号復調方法は、請求項５に記載の映像信号復調方法において、前記読出しアドレス生成ステップを、上記読出しアドレスを生成するフレーム信号を外部で設定した外部フレーム信号とする外部読出しアドレス生成ステップとした、ことを特徴とするものである。
【００１６】
また、本発明の請求項７に記載の映像信号復調方法は、請求項５に記載の映像信号復調方法において、前記制御信号生成ステップには、上記位相差情報と閾値とを比較する閾値比較ステップが備えられ、前記閾値比較ステップを、上記閾値を固定の閾値とした固定閾値比較ステップとした、ことを特徴とするものである。
【００１７】
また、本発明の請求項８に記載の映像信号復調方法は、請求項７に記載の映像信号復調方法において、前記閾値比較ステップを、上記閾値を外部で設定した外部設定閾値とする外部設定閾値比較ステップとした、ことを特徴とするものである。
【発明の効果】
【００１８】
本発明の請求項１に係る映像信号復調装置は、伝送されたフレーム周波数情報と圧縮映像信号の有効画素データから映像信号を復調する映像信号復調装置において、フレーム周波数情報および一定のフレーム信号に同期する上記圧縮映像信号の有効画素データの標準信号を生成する第１のメモリと、上記標準信号を伸張した伸張データを生成する伸張部と、上記伸張データを一定のフォーマットに従って元のデータ列に並び換える第２のメモリと、上記元のデータ列に並び換えられたデータ列を映像信号に復調させるデコード部と、前記第１のメモリを制御する制御部とが備えられ、前記制御部は、上記フレーム周波数情報を基準とする前記第１のメモリの書込み制御信号を生成し、前記デコード部から出力されるフレーム信号を基準とする前記第１のメモリの読み出し制御信号を生成するので、小さなメモリ容量にて作動し得る映像信号復調装置を提供することができる効果がある。
【００１９】
また、本発明の請求項２に係る映像信号復調装置は、請求項１に記載の映像信号復調装置において、前記制御部が、前記デコード部から出力されるフレーム信号を外部で設定する外部フレーム信号とする外部フレーム信号制御部とされ、前記外部フレーム信号制御部は、上記フレーム周波数情報を基準とする前記第１のメモリの書込み制御信号を生成し、上記外部フレーム信号を基準とする前記第１のメモリの読出し制御信号である外部読み出し制御信号を生成するので、後段の処理との整合性を容易に取ることが可能な映像信号復調装置を提供することができる効果がある。
【００２０】
また、本発明の請求項３に係る映像信号復調装置は、請求項１または請求項２に記載の映像信号復調装置において、前記制御部に、上記フレーム周波数情報を基準とする書込みアドレスを生成する書込みアドレス生成部と、上記フレーム信号を基準とする読出しアドレスを生成する読出しアドレス生成部と、上記書込みアドレスと上記読出しアドレスから両方のフレームの位相差情報を検出する位相差検出部と、上記フレームの位相差情報と閾値とを比較する比較部と、前記比較部による結果から前記第１のメモリの上記各制御信号を生成する制御信号生成部とを備えたので、上記各制御信号間での追い越しや追い越されの条件の精度を高めることができる効果がある。
【００２１】
また、本発明の請求項４に係る映像信号復調装置は、請求項３に記載の映像信号復調装置において、前記比較部を、上記閾値を外部で設定する外部設定閾値とする外部設定閾値比較部とし、前記外部設定閾値比較部は、上記フレームの位相差情報と外部設定閾値とを比較するので、出力データのフレーム変化の滑らかさを最適にすることが可能な映像信号復調装置を提供することができる効果がある。
【００２２】
また、本発明の請求項５に係る映像信号復調方法は、伝送されたフレーム周波数情報と圧縮映像信号の有効画素データから映像信号を復調する映像信号復調方法において、伝送されたデータ列からフレーム周波数情報と圧縮映像信号の有効画素データを抜出すフレーム情報抜出しステップと、上記フレーム周波数情報を基準とする書込みアドレスを生成する書込みアドレス生成ステップと、前記フレーム情報抜出しステップ及び前記書込みアドレス生成ステップと並行して、基準となるフレーム信号を生成し、該フレーム信号を基準とする読出しアドレスを生成する読出しアドレス生成ステップと、上記書込みアドレスと上記読出しアドレスから両方のフレームの位相差情報を検出し、上記位相差情報と閾値とを比較して、上記書込みアドレスに対して書込み制御信号を、上記読出しアドレスに対して読出し制御信号をそれぞれ生成する制御信号生成ステップと、上記書込み制御信号および上記読出し制御信号に同期する上記圧縮映像信号の有効画素データの標準信号を生成する標準信号生成ステップと、上記標準信号を伸張した伸張データを生成する伸張データ生成ステップと、上記伸張されたデータを一定のフォーマットに従って元のデータ列に並び換えるデータ並び換えステップと、上記並び換えられたデータ列を映像信号に復調する映像信号復調ステップとを備えたので、少ないメモリ容量で動作できる効果がある。
【００２３】
また、本発明の請求項６に係る映像信号復調方法は、請求項５に記載の映像信号復調方法において、前記読出しアドレス生成ステップを、上記読出しアドレスを生成するフレーム信号を外部で設定した外部フレーム信号とする外部読出しアドレス生成ステップとしたので、後段の処理とのフレーム位相を合わすことができる効果がある。
【００２４】
また、本発明の請求項７に係る映像信号復調方法は、請求項５に記載の映像信号復調方法において、前記制御信号生成ステップには、上記位相差情報と閾値とを比較する閾値比較ステップが備えられ、前記閾値比較ステップを、上記閾値を固定の閾値とした固定閾値比較ステップとしたので、上記各制御信号間での追い越しや追い越されの条件の精度を高めることができる効果がある。
【００２５】
また、本発明の請求項８に係る映像信号復調方法は、請求項７に記載の映像信号復調方法において、前記閾値比較ステップを、上記閾値を外部で設定した外部設定閾値とする外部設定閾値比較ステップとしたので、出力データのフレーム変化の滑らかさを最適にすることが可能となる効果がある。
【発明を実施するための最良の形態】
【００２６】
以下、本発明の各実施の形態を、図面を参照しながら説明する。
（実施の形態１）
先ず、本発明の実施の形態１に係る映像信号復調装置の構成について図１（ａ）、図３を参照して説明する。図１（ａ）は、本発明の実施の形態１に係る映像信号復調装置のブロック図を示す。図３は、本発明の実施の形態１に係る映像信号復調装置の制御部のブロック図を示す。図１（ａ）に示すように、本発明の実施の形態１に係る映像信号復調装置は、第１のメモリ１と、伸張部２と、第２のメモリ３と、デコード部４と、制御部５とによって構成され、制御部５には、図３に示すように、書込みアドレス生成部１１と、内部読出しアドレス生成部１２と、位相検出部１３と、比較部１４と、制御信号生成部１５とを備えている。
【００２７】
制御部５は、第１のメモリ１を制御する制御信号を生成し、書込みアドレス生成部１１は、ＩＥＥＥ１３９４バス経由で伝送されたフレーム周波数情報を基準とする書込みアドレスを生成する。内部読出しアドレス生成部１２は、書込みアドレスの生成と並行して、当該内部読出しアドレス生成部１２に入力される一定のフレーム信号（以下、内部フレーム信号という。）を基準とする読出しアドレス（以下、内部読出しアドレスという）を生成する。位相検出部１３は、書込みアドレス生成部１１で生成された書込みアドレスと内部読出しアドレス生成部１２で生成された内部読出しアドレスから両方のフレーム間の位相関係、例えば位相差時間、位相位置、の各情報（以下、位相差情報という。）を検出し、位相差検出部１３で検出された位相差情報と固定の閾値（以下、固定閾値という。）とを比較部１４にて比較する。制御信号生成部１５は、比較部１４によって比較した結果に応じて第１のメモリ１を制御する制御信号を生成し、上記書込みアドレスに対して第１のメモリ１の書込み制御信号を、上記内部読み出しアドレスに対して第１のメモリ１の読出し制御信号（以下、内部読出し制御信号という。）をそれぞれ生成する。
【００２８】
第１のメモリ１は、ＩＥＥＥ１３９４バス経由で伝送されたデータ列からフレーム周波数情報と圧縮映像信号の画素データを抜出して、制御部５にて上記フレーム周波数情報を基準として生成された書込み制御信号に従って上記映像信号の有効画素データを当該第１のメモリ１に書込み、書込まれた上記映像信号の有効画素データは、制御部５にて内部フレーム信号を基準として生成された内部読出し制御信号に同期させてジッターのない標準信号を生成する。伸張部２は、第１のメモリ１で生成された標準信号を伸張して伸張データを生成する。第２のメモリ３は、伸張部２で生成された伸張データを一定のフォーマットに従って元のデータ列に並び換える。デコード部４は、第２のメモリ３で元のデータ列に並び換えられたデータ列を映像信号に復調させるとともに、第１のメモリ１を制御する制御信号の基準となる内部フレーム信号を内部自動生成する。
【００２９】
上記のように構成された本発明の実施の形態１に係る映像信号復調装置の動作について説明する。図３に示すように、制御部５は、第１のメモリを制御する制御信号を生成し、書込みアドレス生成部１１は、ＩＥＥＥ１３９４バス経由で伝送されたフレーム周波数情報を基準とする書込みアドレスを生成し、上記書込みアドレスの生成と並行して、内部読出しアドレス生成部１２は、入力された内部フレーム信号を基準とする読出しアドレス、すなわち内部読出しアドレスを生成する。位相検出部１３は、書込みアドレス生成部１１で生成された書込みアドレスと内部読出しアドレス生成部１２で生成された内部読出しアドレスから位相差情報、たとえばどちらのアドレスがどれだけ小さいか、を検出する。検出された位相差情報は比較部１４で固定の閾値と比較する。制御信号生成部１５は、その比較した結果に従って第１のメモリ１を制御する制御信号を生成する。たとえば、書込みアドレスに対して内部読出しアドレスが固定閾値ｂ１よりも大きくなったときは、ＩＥＥＥ１３９４バスからのフレーム周波数に対して内部フレーム信号の周波数が高い場合となり、書込みを禁止する。書込みアドレスに対して内部読出しアドレスが固定閾値ａ１よりも小さくなったときは、ＩＥＥＥ１３９４バスからのフレーム周波数に対して内部生成固定フレーム信号の周波数が低い場合となり、メモリから読み出すデータを次のフレームのデータを読み出すのではなく、読み出し終わったフレームデータを再度読み出す。上記の固定閾値ｂ１よりも大きくなったとき、固定閾値ａ１よりも小さくなったときのいずれにも該当しないときは、上記書込みアドレス及び上記内部読出しアドレスをそのまま使用して、制御信号、すなわち上記書込みアドレスに対して書込み制御信号を、上記内部読出しアドレスに対して内部読出し制御信号、をそれぞれ生成する。
【００３０】
第１のメモリ１は、ＩＥＥＥ１３９４バス経由で伝送されたデータ列からフレーム周波数情報と圧縮映像信号の画素データを抜出して、該映像信号の有効画素データの抜出しと並行して、制御部５にて上記フレーム周波数情報を基準として生成された書込み制御信号に従って上記映像信号の有効画素データを当該第１のメモリ１に書込み、書込まれた上記映像信号の有効画素データは、制御部５にて内部フレーム信号を基準として生成された内部読出し制御信号に同期させ、ジッターのない標準信号として伸張部２に読出される。
【００３１】
第１のメモリ１より読出された標準信号は圧縮されているので、伸張部２は上記標準信号を伸張して伸張データを生成する。伸張部２より読出された伸張データは元のデータ列に戻すために、第２のメモリ３は、伸張部２より読出された伸張データを読出し、該伸張データが元のデータ列に並び換られてデコード部４に読出される。デコード部４は、第２のメモリ３より読出された元のデータ列に並べ換えられたデータ列を復調し、映像信号を出力する。
【００３２】
次に、本発明の実施の形態１に係る映像信号復調方法について図７を参照して説明する。図７は、本発明の実施の形態１に係る映像信号復調方法のフローチャート図を示す。図７に示すように、ステップＳ１は、フレーム周波数情報と圧縮映像信号の有効画素データを抜出すステップであり、ＩＥＥＥ１３９４バス経由で伝送されたデータ列からフレーム周波数情報と圧縮映像信号の有効画素データを抜出す、フレーム情報抜出しステップである。ステップＳ２は、書込みアドレスを生成するステップであり、ステップＳ１で抜出したフレーム周波数情報を基準とする書込みアドレスを生成する、書込みアドレス生成ステップである。ステップＳ３は、前記ステップＳ１および前記ステップＳ２に並行して、読出しアドレスを生成するステップであり、ステップＳ３０１は、任意の固定値を有するフレーム信号（以下、内部生成固定フレーム信号という。）を生成し、ステップＳ３０２は、ステップＳ３０１で生成した内部生成固定フレーム信号を基準とする内部読出しアドレスを生成する、内部読出しアドレス生成ステップである。ステップＳ４は、書込み制御信号、読み出し制御信号を生成するステップであり、ステップＳ２で生成した書込みアドレスとステップＳ３で生成した内部読出しアドレスとの差を求め（ステップＳ４０１）、その差が固定閾値ｂ３よりも大きいときは、ステップＳ４０２１に進み、書込みを停止する。その差が固定閾値ａ３よりも小さいときは、ステップＳ４０２２に進み、内部読出しアドレスを更新しない。それらのいずれでもないときは、ステップＳ４０２３に進み、ステップＳ４０２１、ステップＳ４０２２、ステップＳ４０２３のいずれかで、ステップＳ２で生成された書込みアドレスに対して書込み制御信号を、ステップＳ３０１で生成された内部読み出しアドレスに対して内部読み出し制御信号をそれぞれ生成する、制御信号生成ステップである。ステップＳ５は、ジッターを取り除いた標準信号を生成するステップであり、ステップＳ４で生成した書込み制御信号および上記内部読み出し制御信号に同期する上記圧縮映像信号の有効画素データの標準信号を生成する、標準信号生成ステップである。ステップＳ６は、伸張データを生成するステップであり、ステップＳ５で生成した標準信号は圧縮されているので該標準信号を伸張して伸張データを生成する、伸張データ生成ステップである。ステップＳ７は、ステップＳ６で生成した伸張データをＤＶフォーマットに従って元のデータ列に並び換える、データ並び換えステップである。ステップＳ８は、映像データを生成するステップであり、ステップＳ７で元のデータ列に並び換えられたデータ列を映像信号に復調させる、映像信号復調ステップである。
【００３３】
次に、本発明の実施の形態１に係る映像信号復調方法の動作について説明する。先ず、ＩＥＥＥ１３９４バス経由で伝送されたデータ列から圧縮映像信号の有効画素データとフレーム情報を抜き出し（ステップＳ１）、上記フレーム情報を基準とする書込みアドレスを生成する（ステップＳ２）。一方、ステップＳ１及びステップＳ２に並行して、内部自動生成された内部生成固定フレーム信号を基準とする内部読出しアドレスを生成する（ステップＳ３）。
【００３４】
次に、上記両方のフレーム信号間の位相差を検出するために上記書込みアドレスと上記内部読み出しアドレスとの差を求め（ステップＳ４０１）、その差が固定閾値ｂ３よりも大きいときは、ＩＥＥＥ１３９４バスからのフレーム周波数に対して内部生成固定フレーム信号の周波数が高い場合となり、書込みを停止する（ステップＳ４０２１）。その差が固定閾値ａ３よりも小さいときは、ＩＥＥＥ１３９４バスからのフレーム周波数に対して内部生成固定フレーム信号の周波数が低い場合となり、読み出すデータとして次のフレームのデータを読み出すのではなく、読み出し終わったフレームデータを再度読み出すために、内部読出しアドレスを更新しない（ステップＳ４０２２）。それらのいずれでもないときは、生成された書込みアドレス及び内部読み出しアドレスをそのまま使用して（ステップＳ４０２３）、ステップＳ４０２１、ステップＳ４０２２、ステップＳ４０２３の各ステップの書込みアドレス及び内部読み出しアドレスに対応する書込み制御信号及び内部読み出し制御信号を生成する（ステップＳ４）。
【００３５】
次に、上記書込み制御信号および上記内部読出し制御信号に同期させて上記圧縮映像信号の有効画素データの標準信号を生成し（ステップＳ５）、上記標準信号を伸張して伸張データを生成し（ステップＳ６）、上記伸張データを、ＤＶフォーマットに従って元のデータ列に並び換える（ステップＳ７）。そして、元のデータ列に並び換えられたデータ列が映像信号に復調されて出力される（ステップ８）。
【００３６】
以上のように、本実施の形態１に係る映像信号復調装置は、フレーム周波数情報と圧縮映像信号の有効画素データから映像信号を復調する映像信号復調装置において、フレーム周波数情報および一定のフレーム信号に同期する上記圧縮映像信号の有効画素データの標準信号を生成する第１のメモリ１と、上記標準信号を伸張して伸張データを生成する伸張部２と、上記伸張データを元のデータ列に並び換える第２のメモリ３と、上記元のデータ列に並び換えられたデータ列を映像信号に復調させるデコード部４と、前記第１のメモリ１を制御する制御部５とが備えられ、前記制御部５は、上記フレーム周波数情報を基準として前記第１のメモリ１の書込み制御信号を生成し、前記デコード部４から出力される内部フレーム信号を基準として前記第１のメモリ１の内部読出し制御信号を生成するので、映像信号復調用のメモリ容量を従来の技術の約１／６とすることが可能となる。
【００３７】
また、フレーム周波数情報を基準として書込みアドレスを生成する書込みアドレス生成部１１と、内部フレーム信号を基準として内部読出しアドレスを生成する内部読出しアドレス生成部１２と、上記書込みアドレスと内部上記読出しアドレスから両方のフレームの位相差情報を検出する位相差検出部１３と、上記フレームの位相差情報と閾値とを比較する比較部１４と、前記比較部１４による結果から上記各制御信号を生成する制御信号生成部１５とを備えたので、第１のメモリ１への書込みと第１のメモリ１からの読出し間で追い越しや追い越されが発生しても破綻しないように制御することが可能となる。
【００３８】
また、本発明の実施の形態１に係る映像信号復調方法は、伝送されたデータ列からフレーム周波数情報と圧縮映像信号の有効画素データを抜出すフレーム情報抜出しステップと、上記フレーム周波数情報を基準とする書込みアドレスを生成する書込みアドレス生成ステップと、前記フレーム情報抜出しステップ及び前記書込みアドレス生成ステップと並行して、内部生成固定フレーム信号を生成し、該内部生成固定フレーム信号を基準とする内部読出しアドレスを生成する内部読出しアドレス生成ステップと、上記書込みアドレスと上記内部読出しアドレスから両方のフレームの位相差情報を検出し、上記位相差情報と固定閾値とを比較して、上記書込みアドレスに対して書込み制御信号を、上記内部読出しアドレスに対して内部読出し制御信号をそれぞれ生成する制御信号生成ステップと、上記書込み制御信号および上記内部読出し制御信号に同期させた上記圧縮映像信号の有効画素データの標準信号を生成する制御信号生成ステップと、上記標準信号を伸張した伸張データを生成する伸張データ生成ステップと、上記伸張データをＤＶフォーマットに従って元のデータ列に並び換えるデータ並び換えステップと、元のデータ列に並び換えられたデータ列を映像信号に復調させる映像信号復調ステップとを備えたので、映像信号復調用のメモリ容量を従来の技術の約１／６とすることが可能となる。
【００３９】
（実施の形態２）
本発明の実施の形態２に係る映像信号復調装置は、内部フレーム信号および閾値を外部から入力とした閾値（以下、外部設定閾値という。）を基準に第１のメモリ１の制御信号を生成する映像信号復調装置である。以下、本発明の実施の形態２に係る映像信号復調装置について、図１（ｂ）、図４の各図を参照して説明する。
【００４０】
図１（ｂ）は、本発明の実施の形態２に係る映像信号復調装置のブロック図を示し、図４は、本発明の実施の形態２に係る映像信号復調装置の外部設定閾値制御部のブロック図を示す。なお、上述の実施の形態１に係る映像信号復調装置と同じまたは同等の機能を有するものについては同符号を記し、詳細な説明は省略する。
【００４１】
先ず、本発明の実施の形態２に係る映像信号復調装置の構成について説明する。図１（ｂ）に示すように、本発明の実施の形態２に係る映像信号復調装置は、第１のメモリ１と、伸張部２と、第２のメモリ３と、デコード部４と、外部設定閾値制御部５ａとにより構成され、外部設定閾値制御部５ａには、図４に示すように、書込みアドレス生成部１１と、内部読出しアドレス生成部１２と、位相検出部１３と、外部設定閾値比較部１４ａと、制御信号生成部１５とを備え、上述の実施の形態１に係る映像信号復調装置の、前記制御部５を、外部設定閾値制御部５ａとしたものである。
【００４２】
外部設定閾値制御部５ａは、第１のメモリ１を制御する制御信号を生成し、書込みアドレス生成部１１は書込みアドレスを生成し、内部読出しアドレス生成部１２は内部読出しアドレスを生成する。位相検出部１３は、上記書込みアドレスと上記内部読出しアドレスから両方のフレーム間の位相差情報を検出し、外部設定閾値比較部１４ａは、位相検出部部１３で検出された位相差情報と外部設定閾値とを比較する。制御信号生成部１５は、外部設定閾値比較部１４ａによって比較した結果に応じて、上記書込みアドレスに対して外部設定閾値書込み制御信号を、上記内部読み出しアドレスに対して外部設定閾値内部読出し制御信号をそれぞれ生成する。
【００４３】
第１のメモリ１は、フレーム周波数情報と圧縮映像信号の画素データを抜出して、上記外部設定閾値書込み制御信号に従って上記映像信号の有効画素データを当該第１のメモリ１に書込み、書込まれた上記映像信号の有効画素データは、外部設定閾値内部読出し制御信号に同期させてジッターのない標準信号を生成する。
【００４４】
以上のように構成された本発明の実施の形態２に係る映像信号復調装置の動作について説明する。図４に示すように、外部設定閾値制御部５ａは、第１のメモリを制御する制御信号を生成し、書込みアドレス生成部１１は書込みアドレスを生成し、内部読出しアドレス生成部１２は、上記書込みアドレスの生成と並行して内部読出しアドレスを生成する。位相検出部１３は、上記書込みアドレスと上記内部読出しアドレスから位相差情報を検出する。上記位相差情報は外部設定閾値比較部１４ａで外部設定閾値と比較する。制御信号生成部１５は、その比較した結果に従って第１のメモリ１の制御信号を生成する。書込みアドレスに対して内部読出しアドレスが外部設定閾値ｂ２よりも大きくなったときは、書込みを禁止する。書込みアドレスに対して内部読出しアドレスが外部設定閾値ａ２よりも小さくなったときは、読み出し終わったフレームデータを再度読み出す。上記外部設定閾値ｂ２よりも大きくなったとき、外部設定閾値ａ２よりも小さくなったときのいずれにも該当しないときは、上記書込みアドレス及び上記内部読出しアドレスをそのまま使用して、上記書込みアドレスに対して外部設定閾値書込み制御信号を、上記内部読出しアドレスに対して外部設定閾値内部読出し制御信号をそれぞれ生成する。
【００４５】
第１のメモリ１は、伝送されたデータ列から映像信号の有効画素データを抜出して、上記外部設定閾値書込み制御信号に従って上記映像信号の有効画素データを当該第１のメモリ１に書込み、書込まれた上記映像信号の有効画素データは、上記内部読出し制御信号に同期させてジッターのない標準信号として伸張部２に読出される。第１のメモリ１より読出された標準信号は、上述の実施の形態１と同様に処理され、映像信号が出力される。
【００４６】
次に、本発明の実施の形態２に係る映像信号復調方法について、図８を参照して説明する。図８は、本発明の実施の形態２に係る映像信号復調方法のフローチャート図である。
図８に示すように、本発明の実施の形態２に係る映像信号復調方法は、内部フレーム信号および外部設定閾値を基準に制御信号を生成する映像信号復調方法であり、上述の実施の形態１に係る映像信号復調方法の制御信号生成ステップ（ステップＳ４）を、外部設定閾値制御信号生成ステップ（ステップＳ４１）とした映像信号復調方法である。したがって、ステップＳ４１についてのみ説明をおこない、上述の実施の形態１に係る映像信号復調のステップと同じまたは同等のステップについては同符号を記し、詳細な説明は省略する。
【００４７】
ステップＳ４１は、書込み制御信号、読み出し制御信号を生成するステップであり、ステップＳ２で生成した書込みアドレスとステップＳ３で生成した内部読出しアドレスとの差を求め（ステップＳ４０１）、その差が外部設定閾値ｂ４よりも大きいときは、ステップＳ４０３１に進み、書込みを停止する。その差が外部設定閾値ａ４よりも小さいときは、ステップＳ４０３２に進み、内部読出しアドレスを更新しない。それらのいずれでもないときは、ステップＳ４０３３に進み、ステップＳ４０３１、ステップＳ４０３２、ステップＳ４０３３のいずれかで、ステップＳ２で生成された書込みアドレスに対して書込み制御信号（以下、外部設定閾値書込み制御信号という。）を、ステップＳ３０１で生成された内部読み出しアドレスに対して読出し制御信号（以下、外部設定閾値内部読出し制御信号という。）をそれぞれ生成する外部設定閾値制御信号生成ステップである。
【００４８】
次に、本発明の実施の形態２に係る映像信号復調方法の動作について説明する。先ず、上述の実施の形態１と同様にして、書込みアドレスと内部読出しアドレスを生成する。次に、上記書込みアドレスと上記内部読み出しアドレスとの差を求め（ステップＳ４０１）、その差が外部設定閾値ｂ４よりも大きいときは、書込みを停止する（ステップＳ４０３１）。その差が外部設定閾値ａ４よりも小さいときは、内部読出しアドレスを更新しない（ステップＳ４０３２）。それらのいずれでもないときは、生成された書込みアドレス及び内部読み出しアドレスをそのまま使用して（ステップＳ４０３３）、各ステップの書込みアドレス及び内部読み出しアドレスに対応する外部設定閾値書込み制御信号及び外部設定閾値内部読み出し制御信号を生成する（ステップＳ４１）。
【００４９】
次に、上記外部設定閾値書込み制御信号および上記外部設定閾値内部読出し制御信号に同期させて上記圧縮映像信号の有効画素データの標準信号が生成され、（ステップＳ５）該標準信号は、上述の実施の形態１に係る映像信号復調方法と同様に処理されて映像信号に復調される。
【００５０】
以上のように、本実施の形態２に係る映像信号復調装置は、フレーム周波数情報と圧縮映像信号の有効画素データから映像信号を復調する映像信号復調装置において、フレーム周波数情報および一定のフレーム信号に同期する上記圧縮映像信号の有効画素データの標準信号を生成する第１のメモリ１と、上記標準信号を伸張して伸張データを生成する伸張部２と、上記伸張データを元のデータ列に並び換える第２のメモリ３と、上記元のデータ列に並び換えられたデータ列を映像信号に復調させるデコード部４と、前記第１のメモリ１を制御する外部設定閾値制御部５ａとが備えられ、前記外部設定閾値制御部５ａは、上記フレーム周波数情報を基準として前記第１のメモリ１の書込み制御信号を生成し、前記デコード部４から出力される内部フレーム信号を基準として前記第１のメモリ１の内部読み出し制御信号に生成するので、外部設定閾値をフレーム信号のゆれに適合する閾値とすることが可能となる。
【００５１】
また、フレーム周波数情報を基準として書込みアドレスを生成する書込みアドレス生成部１１と、内部フレーム信号を基準として内部読出しアドレスを生成する内部読出しアドレス生成部１２と、上記書込みアドレスと上記内部読出しアドレスから両方のフレームの位相差情報を検出する位相差検出部１３と、上記フレームの位相差情報と外部設定閾値とを比較する外部設定閾値比較部１４と、前記外部設定閾値比較部１４ａによる結果から上記各制御信号を生成する制御信号生成部１５とを備えたので、実動作と位相差情報とを等価させることが可能となる。
【００５２】
また、本発明の実施の形態２に係る映像信号復調方法は、伝送されたデータ列からフレーム周波数情報と圧縮映像信号の有効画素データを抜出すフレーム情報抜出しステップと、上記フレーム周波数情報を基準とする書込みアドレスを生成する書込みアドレス生成ステップと、前記フレーム情報抜出しステップ及び前記書込みアドレス生成ステップと並行して、内部生成固定フレーム信号を生成し、該内部生成固定フレーム信号を基準とする内部読出しアドレスを生成する内部読出しアドレス生成ステップと、上記書込みアドレスと上記内部読出しアドレスから両方のフレームの位相差情報を検出し、上記位相差情報と外部設定閾値とを比較して、上記書込みアドレスに対して外部設定閾値書込み制御信号を、上記内部読出しアドレスに対して外部設定閾値内部読出し制御信号をそれぞれ生成する外部設定閾値制御信号生成ステップと、上記書込み制御信号および上記内部読出し制御信号に同期させた上記圧縮映像信号の有効画素データの標準信号を生成する制御信号生成ステップと、上記標準信号を伸張した伸張データを生成する伸張データ生成ステップと、上記伸張データをＤＶフォーマットに従って元のデータ列に並び換えるデータ並び換えステップと、上記元のデータ列に並び換えられたデータ列を映像信号に復調させる映像信号復調ステップとを備えたので、外部設定閾値をフレーム信号のゆれに適合する閾値とすることが可能となる。
【００５３】
（実施の形態３）
本発明の実施の形態３に係る映像信号復調装置は、固定閾値およびフレーム信号を外部から直接入力したフレーム信号（以下、外部フレーム信号という。）を基準に第１のメモリ１の制御信号を生成する映像信号復調装置である。以下、本発明の実施の形態３に係る映像信号復調装置について、図２（ａ）、図５の各図を参照して説明する。
【００５４】
図２（ａ）は、本発明の実施の形態３に係る映像信号復調装置のブロック図を示し、図５は、本発明の実施の形態３に係る映像信号復調装置の外部フレーム信号制御部のブロック図を示す。なお、上述の実施の形態１に係る映像信号復調装置と同じまたは同等の機能を有するものについては同符号を記し、詳細な説明は省略する。
【００５５】
先ず、本発明の実施の形態３に係る映像信号復調装置の構成について説明する。図２（ａ）に示すように、本発明の実施の形態３に係る映像信号復調装置は、第１のメモリ１と、伸張部２と、第２のメモリ３と、デコード部４と、外部フレーム信号制御部５ｂとによって構成され、外部フレーム信号制御部５ｂには、図５に示すように、書込みアドレス生成部１１と、外部読出しアドレス生成部１２ａと、位相検出部１３と、比較部１４と、制御信号生成部１５とを備え、上述の実施の形態１に係る映像信号復調装置の、前記制御部５を、外部フレーム信号制御部５ｂとしたものである。
【００５６】
外部フレーム信号制御部５ｂは、第１のメモリ１を制御する制御信号を生成し、書込みアドレス生成部１１は、書込みアドレスを生成し、外部読出しアドレス生成部１２ａは、上記書込みアドレスの生成と並行して、外部フレーム信号を基準とする読出しアドレス（以下、外部読出しアドレスという。）を生成する。位相検出部１３は、上記書込みアドレスと上記外部読出しアドレスから両方のフレーム間の位相差情報を検出し、上記位相差情報と固定閾値とを比較部１４にて比較する。制御信号生成部１５は、比較部１４によって比較した結果に応じて、上記書込みアドレスに対して書込み制御信号を、上記内部読み出しアドレスに対して読出し制御信号（以下、外部読出し制御信号という。）をそれぞれ生成する。
【００５７】
第１のメモリ１は、フレーム周波数情報と圧縮映像信号の画素データを抜出して、上記書込み制御信号に従って上記映像信号の有効画素データを当該第１のメモリ１に書込み、書込まれた上記映像信号の有効画素データは、外部読出し制御信号に同期させてジッターのない標準信号を生成する。
【００５８】
上記のように構成された本発明の実施の形態３に係る映像信号復調装置の動作について説明する。図５に示すように、外部フレーム信号制御部５ｂは、第１のメモリを制御する制御信号を生成し、書込みアドレス生成部１１は書込みアドレスを生成し、外部読出しアドレス生成部１２ａは、上記書込みアドレスの生成と並行して外部読出しアドレスを生成する。位相検出部１３は、上記書込みアドレスと上記外部読出しアドレスから位相差情報を検出する。上記位相差情報は比較部１４で固定閾値と比較する。制御信号生成部１５は、その比較した結果に従って第１のメモリ１を制御する制御信号を生成する。たとえば、書込みアドレスに対して外部読出しアドレスが外部設定閾値ｂ４よりも大きくなったときは、書込みを禁止する。書込みアドレスに対して外部読出しアドレスが固定閾値ａ３よりも小さくなったときは、読み出し終わったフレームデータを再度読み出す。上記の固定閾値ｂ３よりも大きくなったとき、固定閾値ａ３よりも小さくなったときのいずれにも該当しないときは、上記書込みアドレス及び上記外部読出しアドレスをそのまま使用して、上記書込みアドレスに対して書込み制御信号を、上記外部読出しアドレスに対して外部読出し制御信号をそれぞれ生成する。
【００５９】
第１のメモリ１は、伝送されたデータ列から映像信号の有効画素データを抜出して、上記書込み制御信号に従って上記映像信号の有効画素データを当該第１のメモリ１に書込み、書込まれた上記映像信号の有効画素データは、上記外部読出し制御信号に同期させてジッターのない標準信号として伸張部２に読出される。第１のメモリ１より読出された標準信号は、上述の実施の形態１と同様に処理され、映像信号が出力される。
【００６０】
次に、本発明の実施の形態３に係る映像信号復調方法について、図９を参照して説明する。図９は、本発明の実施の形態３に係る映像信号復調方法のフローチャート図である。
【００６１】
図９に示すように、本発明の実施の形態３に係る映像信号復調方法は、外部フレーム信号および固定閾値を基準に制御信号を生成する映像信号復調方法であり、上述の実施の形態１に係る映像信号復調方法の、前記読出しアドレス生成ステップ（ステップＳ３）を外部読出しアドレス生成ステップ（ステップＳ３１）に、その前記制御信号生成ステップ（ステップ４）を外部読出し制御信号生成ステップ（ステップＳ４２）とした映像信号復調方法である。したがって、ステップ３１およびステップ４２についてのみ説明をおこない、上述の実施の形態１に係る映像信号復調方法のステップと同じまたは同等のステップについては同符号を記し、詳細な説明は省略する。
【００６２】
ステップＳ３１は、前記ステップＳ１および前記ステップＳ２に並行して、読出しアドレスを生成するステップであり、外部フレーム信号を基準として読出しアドレス（以下、外部読み出しアドレスという。）を生成する、外部読出しアドレス生成ステップである。
【００６３】
ステップＳ４２は、書込み制御信号、読み出し制御信号を生成するステップであり、ステップＳ２で生成した書込みアドレスとステップＳ３１で生成した外部読出しアドレスとの差を求め（ステップＳ４０４）、その差が固定閾値ｂ３よりも大きいときは、ステップＳ４０５１に進み、書込みを停止する。その差が固定閾値ａ３よりも小さいときは、ステップＳ４０５２に進み、外部読出しアドレスを更新しない。それらのいずれでもないときは、ステップＳ４０５３に進み、ステップＳ４０５１、ステップＳ４０５２、ステップＳ４０５３のいずれかで、ステップＳ２で生成された書込みアドレスに対して書込み制御信号を、ステップＳ３０１で生成された外部読み出しアドレスに対して読み出し制御信号（以下、外部読み出し制御信号という。）をそれぞれ生成する、外部読み出し制御信号生成ステップである。
【００６４】
次に、本発明の実施の形態３に係る映像信号復調方法の動作について説明する。先ず、上述の実施の形態１に係る映像信号復調方法と同様にして、書込みアドレスおよび外部読出しアドレスを生成する。次に、上記書込みアドレスと上記外部読み出しアドレスとの差を求め（ステップＳ４０４）、その差が固定閾値ｂ３よりも大きいときは、書込みを停止する（ステップＳ４０５１）。その差が固定閾値ａ３よりも小さいときは、外部読出しアドレスを更新しない（ステップＳ４０５２）。それらのいずれでもないときは、生成された書込みアドレス及び外部読み出しアドレスをそのまま使用して（ステップＳ４０５３）、ステップＳ４０５１、ステップＳ４０５２、ステップＳ４０５３の各ステップの書込みアドレス及び外部読み出しアドレスに対応する書込み制御信号及び外部読み出し制御信号を生成する（ステップＳ４２）。
【００６５】
次に、上記書込み制御信号および上記外部読出し制御信号に同期させて上記圧縮映像信号の有効画素データの標準信号を生成し（ステップＳ５）、該標準信号は、上述の実施の形態１に係る映像信号復調方法と同様に処理されて映像信号に復調される。
【００６６】
以上のように、本実施の形態３に係る映像信号復調装置は、フレーム周波数情報と圧縮映像信号の有効画素データから映像信号を復調する映像信号復調装置において、フレーム周波数情報および一定のフレーム信号に同期する上記圧縮映像信号の有効画素データの標準信号を生成する第１のメモリ１と、上記標準信号を伸張して伸張データを生成する伸張部２と、上記伸張データを元のデータ列に並び換える第２のメモリ３と、上記元のデータ列に並び換えられたデータ列を映像信号に復調させるデコード部４と、前記第１のメモリ１を制御する外部フレーム信号制御部５ｂとが備えられ、前記外部フレーム信号制御部５ｂは、上記フレーム周波数情報を基準として前記第１のメモリ１の書込み制御信号を生成し、外部から入力される外部フレーム信号を基準として前記第１のメモリ１の外部読出し制御信号を生成するので、第１のメモリ１以降の処理とのフレーム位相を合わすことが可能となる。
【００６７】
また、フレーム周波数情報を基準として書込みアドレスを生成する書込みアドレス生成部１１と、外部フレーム信号を基準として外部読出しアドレスを生成する外部読出しアドレス生成部１２ａと、上記書込みアドレスと内部上記読出しアドレスから両方のフレームの位相差情報を検出する位相差検出部１３と、上記フレームの位相差情報と閾値とを比較する比較部１４と、前記比較部１４による結果から上記各制御信号を生成する制御信号生成部１５とを備えたので、フレームの途中で新しいデータと古いデータを混在させないように動作させることが可能となる。
【００６８】
また、本発明の実施の形態３に係る映像信号復調方法は、伝送されたデータ列からフレーム周波数情報と圧縮映像信号の有効画素データを抜出すフレーム情報抜出しステップと、上記フレーム周波数情報を基準とする書込みアドレスを生成する書込みアドレス生成ステップと、前記フレーム情報抜出しステップ及び前記書込みアドレス生成ステップと並行して、外部フレーム信号を基準とする外部読出しアドレスを生成する外部読出しアドレス生成ステップと、上記書込みアドレスと上記外部読出しアドレスから両方のフレームの位相差情報を検出し、上記位相差情報と固定閾値とを比較して、上記書込みアドレスに対して書込み制御信号を、上記外部読出しアドレスに対して外部読出し制御信号をそれぞれ生成する外部フレーム信号制御信号生成ステップと、上記書込み制御信号および上記外部読出し制御信号に同期させた上記圧縮映像信号の有効画素データの標準信号を生成する標準信号生成ステップと、上記標準信号を伸張した伸張データを生成する伸張データ生成ステップと、上記伸張データをＤＶフォーマットに従って元のデータ列に並び換えるデータ並び換えステップと、上記元のデータ列に並び換えられたデータ列を映像信号に復調させる映像信号復調ステップとを備えたので、第１のメモリ１以降の処理とのフレーム位相を合わすことが可能となる。
【００６９】
（実施の形態４）
本発明の実施の形態４に係る映像信号復調装置は、外部フレーム信号および外部設定閾値を基準に第１のメモリ１の制御信号を生成する映像信号復調装置である。以下、本発明の実施の形態４に係る映像信号復調装置について、図２（ｂ）、図６の各図を参照して説明する。
【００７０】
図２（ｂ）は、本発明の実施の形態４に係る映像信号復調装置のブロック図を示し、図６は、本発明の実施の形態４に係る映像信号復調装置の外部設定閾値外部フレーム信号制御部のブロック図を示す。なお、上述の実施の形態３に係る映像信号復調装置と同じまたは同等の機能を有するものについては同符号を記し、詳細な説明は省略する。
【００７１】
先ず、本発明の実施の形態４に係る映像信号復調装置の構成について説明する。図２（ｂ）に示すように、本発明の実施の形態４に係る映像信号復調装置は、第１のメモリ１と、伸張部２と、第２のメモリ３と、デコード部４と、外部フレーム信号制御部５ｃとによって構成され、外部フレーム信号制御部５ｃには、図６に示すように、書込みアドレス生成部１１と、外部読出しアドレス生成部１２ａと、位相検出部１３と、外部設定閾値比較部１４ａと、制御信号生成部１５とを備え、上述の実施の形態３に係る映像信号復調装置の前記外部フレーム信号制御部５ｂを外部設定閾値外部フレーム信号制御部５ｃとしたものである。
【００７２】
外部設定閾値外部フレーム信号制御部５ｃは、第１のメモリ１を制御する制御信号を生成し、書込みアドレス生成部１１は、書込みアドレスを生成する。外部読出しアドレス生成部１２ａは、上記書込みアドレスの生成と並行して外部読出しアドレスを生成する。位相検出部１３は、上記書込みアドレスと上記外部読出しアドレスから両方のフレーム間の位相差情報を検出し、上記位相差情報と外部設定閾値とを外部設定閾値比較部１４ａにて比較する。制御信号生成部１５は、外部設定閾値比較部１４ａによって比較した結果に応じて第１のメモリ１を制御する制御信号を生成し、上記書込みアドレスに対して第１のメモリ１の書込み制御信号（以下、外部設定閾値書込み制御信号という。）を、上記内部読み出しアドレスに対して読出し制御信号（以下、外部設定閾値外部読出し制御信号という。）をそれぞれ生成する。
【００７３】
第１のメモリ１は、伝送されたデータ列からフレーム周波数情報と圧縮映像信号の画素データを抜出して、上記外部設定閾値書込み制御信号に従って上記映像信号の有効画素データを当該第１のメモリ１に書込み、書込まれた上記映像信号の有効画素データは、上記外部設定閾値外部読出し信号に同期させ、ジッターのない標準信号として伸張部２に読出される。
【００７４】
上記のように構成された本発明の実施の形態４に係る映像信号復調装置の動作について説明する。図６に示すように、外部フレーム信号制御部５ｃは、第１のメモリを制御する制御信号を生成し、書込みアドレス生成部１１は、書込みアドレスを生成し、外部読出しアドレス生成部１２ａは、上記書込みアドレスの生成と並行して外部読出しアドレスを生成する。位相検出部１３は、上記書込みアドレスと上記外部読出しアドレスから位相差情報を検出する。上記位相差情報は外部設定閾値比較部１４ａで外部設定閾値と比較する。制御信号生成部１５は、その比較した結果に従って第１のメモリ１を制御する制御信号を生成する。たとえば、書込みアドレスに対して外部読出しアドレスが外部設定閾値ｂ４よりも大きくなったときは、書込みを禁止する。書込みアドレスに対して外部読出しアドレスが外部設定閾値ａ４よりも小さくなったときは、読み出し終わったフレームデータを再度読み出す。上記の外部設定閾値ｂ４よりも大きくなったとき、外部設定閾値ａ４よりも小さくなったときのいずれにも該当しないときは、上記書込みアドレス及び上記外部読出しアドレスをそのまま使用して、上記書込みアドレスに対して外部設定閾値書込み制御信号を、上記外部読出しアドレスに対して外部設定閾値外部読出し制御信号を、それぞれ生成する。
【００７５】
第１のメモリ１は、伝送されたデータ列から映像信号の有効画素データを抜出して、上記外部設定閾値書込み制御信号に従って上記映像信号の有効画素データを当該第１のメモリ１に書込み、書込まれた上記映像信号の有効画素データは、外部設定閾値外部読出し制御信号に同期させてジッターのない標準信号として伸張部２に読出される。第１のメモリ１より読出された標準信号は、上述の実施の形態３と同様に処理され、映像信号が出力される。
【００７６】
次に、本発明の実施の形態４に係る映像信号復調方法について、図１０を参照して説明する。図１０は、本発明の実施の形態４に係る映像信号復調方法のフローチャート図である。
【００７７】
図１０に示すように、本発明の実施の形態４に係る映像信号復調方法は、外部フレーム信号および外部設定閾値を基準に制御信号を生成する映像信号復調方法であり、上述の実施の形態３に係る映像信号復調方法の前記外部読出し制御信号生成ステップ（ステップＳ４２）を外部設定閾値外部読出し制御信号生成ステップ（ステップＳ４３）としたものである。したがって、ステップＳ４３についてのみ説明をおこない、上述の実施の形態３に係る映像信号復調方法のステップと同じまたは同等のステップについては同符号を記し、詳細な説明は省略する。
【００７８】
ステップＳ４３は、書込み制御信号、読み出し制御信号を生成するステップであり、ステップＳ２で生成した書込みアドレスとステップＳ３１で生成した外部読出しアドレスとの差を求め（ステップＳ４０４）、その差が外部設定閾値ｂ４よりも大きいときは、ステップＳ４０６１に進み、書込みを停止する。その差が外部設定閾値ａ４よりも小さいときは、ステップＳ４０６２に進み、外部読出しアドレスを更新しない。それらのいずれでもないときは、ステップＳ４０６３に進み、ステップＳ４０６１、ステップＳ４０６２、ステップＳ４０６３のいずれかで、ステップＳ２で生成された書込みアドレスに対して書込み制御信号（以下、外部設定閾値書込み制御信号という。）を、ステップＳ３１で生成された外部読み出しアドレスに対して読出し制御信号（以下、外部設定閾値外部読出し制御信号という。）をそれぞれ生成する、外部読み出し外部設定閾値制御信号生成ステップである。
【００７９】
次に、本発明の実施の形態４に係る映像信号復調方法の動作について説明する。先ず、上述の実施の形態３に係る映像信号復調方法と同様にして、書込みアドレスおよび外部読出しアドレスを生成する。次に、上記書込みアドレスと上記外部読み出しアドレスとの差を求め（ステップＳ４０４）、その差が外部設定閾値ｂ４よりも大きいときは、書込みを停止する（ステップＳ４０６１）。その差が外部設定閾値ａ４よりも小さいときは、外部読出しアドレスを更新しない（ステップＳ４０６２）。それらのいずれでもないときは、生成された書込みアドレス及び外部読み出しアドレスをそのまま使用して（ステップＳ４０６３）、ステップＳ４０６１、ステップＳ４０６２、ステップＳ４０６３の各ステップの書込みアドレス及び外部読み出しアドレスに対応する外部設定閾値書込み制御信号及び外部読み出し外部設定閾値制御信号を生成する（ステップＳ４３）。
【００８０】
次に、上記外部設定閾値書込み制御信号および上記外部設定閾値外部読出し制御信号に同期させて上記圧縮映像信号の有効画素データの標準信号を生成し（ステップＳ５）、該標準信号は、上述の実施の形態３に係る映像信号復調方法と同様に処理されて映像信号に復調される。
【００８１】
以上のように、本実施の形態４に係る映像信号復調装置は、フレーム周波数情報と圧縮映像信号の有効画素データから映像信号を復調する映像信号復調装置において、フレーム周波数情報および一定のフレーム信号に同期する上記圧縮映像信号の有効画素データの標準信号を生成する第１のメモリ１と、上記標準信号を伸張して伸張データを生成する伸張部２と、上記伸張データを元のデータ列に並び換える第２のメモリ３と、上記元のデータ列に並び換えられたデータ列を映像信号に復調させるデコード部４と、前記第１のメモリ１を制御する外部フレーム信号制御部５ｃとが備えられ、前記外部フレーム信号制御部５ｃは、上記フレーム周波数情報を基準として前記第１のメモリ１の外部設定閾値書込み制御信号を生成し、外部から入力される外部フレーム信号を基準として前記第１のメモリ１の外部設定閾値外部読出し制御信号を生成するので、追い越し追い越されの回数を軽減することが可能となる。
【００８２】
また、フレーム周波数情報を基準として書込みアドレスを生成する書込みアドレス生成部１１と、外部フレーム信号を基準として外部読出しアドレスを生成する外部読出しアドレス生成部１２ａと、上記書込みアドレスと上記外部読出しアドレスから両方のフレームの位相差情報を検出する位相差検出部１３と、上記フレームの位相差情報と外部設定閾値とを比較する外部設定閾値比較部１４ａと、前記外部設定閾値比較部１４ａによる結果から上記各制御信号を生成する制御信号生成部１５とを備えたので、第１のメモリ１以降の処理との整合性を容易にとることが可能となる。
【００８３】
また、本発明の実施の形態４に係る映像信号復調方法は、伝送されたデータ列からフレーム周波数情報と圧縮映像信号の有効画素データを抜出すフレーム情報抜出しステップと、上記フレーム周波数情報を基準とする書込みアドレスを生成する書込みアドレス生成ステップと、前記フレーム情報抜出しステップ及び前記書込みアドレス生成ステップと並行して、外部フレーム信号を基準とする外部読出しアドレスを生成する外部読出しアドレス生成ステップと、上記書込みアドレスと上記外部読出しアドレスから両方のフレームの位相差情報を検出し、上記位相差情報と外部設定閾値とを比較して、上記書込みアドレスに対して外部設定閾値書込み制御信号を、上記外部読出しアドレスに対して外部設定閾値外部読出し制御信号をそれぞれ生成する外部読み出し外部設定閾値制御信号生成ステップと、上記外部設定閾値書込み制御信号および上記外部読み出し外部設定閾値制御信号に同期させた上記圧縮映像信号の有効画素データの標準信号を生成する標準信号生成ステップと、上記標準信号を伸張した伸張データを生成する伸張データ生成ステップと、上記伸張データをＤＶフォーマットに従って元のデータ列に並び換えるデータ並び換えステップと、上記元のデータ列に並び換えられたデータ列を映像信号に復調させる映像信号復調ステップとを備えたので、追い越し追い越されの回数を軽減することが可能となる。
【産業上の利用可能性】
【００８４】
本発明は、ＩＥＥＥ１３９４バスが搭載されたディジタル機器、例えばＤＶＤレコーダやディジタルＴＶ、でジッターを含んだデータ列を一定周波数のデータ列に復調させるＤＶフォーマット準拠データをデコード処理する映像信号復調装置として、また、映像信号復調方法として有用である。
【図面の簡単な説明】
【００８５】
【図１（ａ）】本発明の実施の形態１に係る映像信号復調装置のブロック図。
【図１（ｂ）】本発明の実施の形態２に係る映像信号復調装置のブロック図。
【図２（ａ）】本発明の実施の形態３に係る映像信号復調装置のブロック図。
【図２（ｂ）】本発明の実施の形態４に係る映像信号復調装置のブロック図。
【図３】本発明の実施の形態１に係る映像信号復調装置の制御部のブロック図。
【図４】本発明の実施の形態２に係る映像信号復調装置の外部設定閾値制御部のブロック図
【図５】本発明の実施の形態３に係る映像信号復調装置の外部読出し制御部のフローチャート図。
【図６】本発明の実施の形態４に係る映像信号復調装置の外部設定閾値外部読出し制御部のフローチャート図。
【図７】本発明の実施の形態１に係る映像信号復調方法のフローチャート図。
【図８】本発明の実施の形態２に係る映像信号復調方法のフローチャート図
【図９】本発明の実施の形態３に係る映像信号復調方法のフローチャート図。
【図１０】本発明の実施の形態４に係る映像信号復調方法のフローチャート図
【図１１】従来の映像信号復調装置のブロック図。
【符号の説明】
【００８６】
１  第１のメモリ
２，１０２  伸張部
３，１０３  第２のメモリ
４，１０４  デコード部
５，１０７  制御部
５ａ  外部設定閾値制御部
５ｂ  外部フレーム信号制御部
５ｃ  外部設定閾値外部フレーム信号制御部
１０６  第３のメモリ
１１  書込みアドレス生成部
１２  内部読出しアドレス生成部
１２ａ  外部読出しアドレス生成部
１３  位相検出部
１４  比較部
１４ａ  外部設定閾値比較部
１５  制御信号生成部
Ｓ１  フレーム情報抜出しステップ
Ｓ２  書込みアドレス生成ステップ
Ｓ３  読出しアドレス生成ステップ
Ｓ３１  外部読出しアドレス生成ステップ
Ｓ３０１  内部フレーム信号生成ステップ
Ｓ３０２  内部読出しアドレス生成ステップ
Ｓ４  制御信号生成ステップ
Ｓ４１  外部設定閾値制御信号生成ステップ
Ｓ４２  外部読出し制御信号生成ステップ
Ｓ４３  外部設定閾値外部読出し制御信号生成ステップ
Ｓ４０１  位相差情報検出ステップ
Ｓ４０２  閾値比較ステップ
Ｓ４０３  外部設定閾値比較ステップ
Ｓ４０４  外部読出し位相差情報検出ステップ
Ｓ４０５  固定閾値比較ステップ
Ｓ４０６  外部読出し外部設定閾値比較ステップ
Ｓ５  標準信号生成ステップ
Ｓ６  伸張データ生成ステップ
Ｓ７  データ並び換えステップ
Ｓ８  映像信号復調ステップ
【図１（ａ）】
2005311468.tif 000003
【図１（ｂ）】
2005311468.tif 000004
【図２（ａ）】
2005311468.tif 000005
【図２（ｂ）】
2005311468.tif 000006
【図３】
2005311468.tif 000007
【図４】
2005311468.tif 000008
【図５】
2005311468.tif 000009
【図６】
2005311468.tif 000010
【図７】
2005311468.tif 000011
【図８】
2005311468.tif 000012
【図９】
2005311468.tif 000013
【図１０】
2005311468.tif 000014
【図１１】
2005311468.tif 000015